(57)【要約】【課題】揮散体及び噴霧ポンプの双方を有するツーウェイ式の揮散容器において、流通時や不使用時には揮散を防止できる一方、使用時にはワンタッチ操作で揮散可能とすることができる揮散容器を提供する。【解決手段】揮散容器1には、容器体10の口部11に装着されると共に、揮散体50が収納される環状の収納段部S、及び該収納段部Sの外周側に形成された雄ねじ部46aを有する装着体40と、装着体40の雄ねじ部46aに螺着する雌ねじ部62aを介して上下に進退可能に設けられた開閉体60と、を設け、開閉体60には、上方への前進状態では揮散体50との間の経路が開放されて該揮散体50から揮散した薬剤を外部へ放出する一方、下方への後退状態では揮散体50との間の経路が遮断される透孔66と、噴霧ポンプ70が取り付けられる取付筒部67と、を設ける。【選択図】図１
2015160666.tif 000002
【特許請求の範囲】
【請求項１】
容器体内の薬剤を吸上芯で吸い上げて揮散させる揮散体と、頭部の押し下げにて前記容器体内の前記薬剤を吸い上げて噴霧する噴霧ポンプと、を備える揮散容器において、
前記容器体の口部に装着されると共に、前記揮散体が収納される環状の収納段部、及び該収納段部の外周側に形成された雄ねじ部を有する装着体と、
前記装着体の雄ねじ部に螺着する雌ねじ部を介して上下に進退可能に設けられた開閉体と、を備え、
前記開閉体は、上方への前進状態では前記揮散体との間の経路が開放されて該揮散体から揮散した前記薬剤を外部へ放出する一方、下方への後退状態では前記揮散体との間の経路が遮断される透孔と、前記噴霧ポンプが取り付けられる取付筒部と、を有することを特徴とする揮散容器。
【請求項２】
前記開閉体は、前記雌ねじ部を内周面に有する螺筒部を垂下させると共に前記取付筒部を起立させる天壁部を有し、
前記天壁部には、前記開閉体の後退状態にて、前記収納段部の内周面に当接するシール筒部が垂設されており、
前記天壁部の底面には、前記シール筒部の内周面に連結する補強リブが設けられている、請求項１に記載の揮散容器。
【請求項３】
前記開閉体は、前記雌ねじ部を内周面に有する螺筒部を垂下させると共に前記取付筒部を起立させる天壁部を有し、
前記天壁部には、前記開閉体の後退状態にて、前記収納段部の内周面を形成する環状周壁の外周面に当接するシール筒部が垂設されており、
前記取付筒部の下側部分は、下方に向かってテーパ状に縮径しており、
前記取付筒部の下側部分の外周面には、前記天壁部の上面に連結する補強リブが設けられている、請求項１に記載の揮散容器。
【請求項４】
前記装着体は、前記収納段部の内周縁から立ち上がる周方向に間隔を空けて配置された複数の連結柱と、該複数の連結柱によって前記収納段部の内周縁に連結するリング体と、を有し、
前記吸上芯は、円筒状を成すと共に、前記複数の連結柱によって挟持され、
前記開閉体は、前記雌ねじ部を内周面に有する螺筒部を垂下させると共に前記取付筒部を起立させる天壁部を有し、
前記開閉体の後退状態にて、前記天壁部の底面は、前記装着体のリング体の上面に当接する、請求項１に記載の揮散容器。
【発明の詳細な説明】
【技術分野】
【０００１】
本発明は、容器体内の薬剤を吸上芯で吸い上げて揮散させる揮散体と、頭部の押し下げにて容器体内の薬剤を吸い上げて噴霧する噴霧ポンプと、を備える揮散容器に関し、特に、流通時や不使用時には揮散を防止できる一方、使用時にはワンタッチ操作で揮散可能とするものである。
【背景技術】
【０００２】
従来、芳香剤等の揮発性の薬剤を、揮散体から揮散させて外部に分散させる据え置きタイプの揮散容器が知られている。また、このような揮散容器として、噴霧ポンプも備え、通常時には据え置きタイプとして使用できる一方、比較的多量の薬剤を短時間で外部に与えたい場合には、噴霧ポンプから薬剤を噴霧できるようにした、所謂ツーウェイ式の揮散容器が知られている。
【０００３】
このようなツーウェイ式の揮散容器として、例えば、特許文献１に記載されるものでは、流通時には、容器体の口部に閉鎖キャップが螺着されており、使用時には、当該閉鎖キャップを取り外し、揮散体と吸上芯とを取付部材によって容器体の口部に取り付け、さらに、容器体に噴霧ポンプを取り付けるようになっている。
【先行技術文献】
【特許文献】
【０００４】
【特許文献１】特開２００８−３０１９１６号公報
【発明の概要】
【発明が解決しようとする課題】
【０００５】
しかしながら、特許文献１に記載されるような揮散容器では、使用時に、閉鎖キャップを取り外し、揮散体及び噴霧ポンプ等を取り付けることで、薬剤を揮散可能とすることができるが、より容易に揮散可能とすることのできる構成が求められている。
【０００６】
本発明は、前記の現状に鑑み開発されたもので、揮散体及び噴霧ポンプの双方を有するツーウェイ式の揮散容器において、流通時や不使用時には揮散を防止できる一方、使用時にはワンタッチ操作で揮散可能とすることができる揮散容器を提供することを目的とする。
【課題を解決するための手段】
【０００７】
すなわち、本発明の要旨構成は以下のとおりである。
１．容器体内の薬剤を吸上芯で吸い上げて揮散させる揮散体と、頭部の押し下げにて前記容器体内の前記薬剤を吸い上げて噴霧する噴霧ポンプと、を備える揮散容器において、
前記容器体の口部に装着されると共に、前記揮散体が収納される環状の収納段部、及び該収納段部の外周側に形成された雄ねじ部を有する装着体と、
前記装着体の雄ねじ部に螺着する雌ねじ部を介して上下に進退可能に設けられた開閉体と、を備え、
前記開閉体は、上方への前進状態では前記揮散体との間の経路が開放されて該揮散体から揮散した前記薬剤を外部へ放出する一方、下方への後退状態では前記揮散体との間の経路が遮断される透孔と、前記噴霧ポンプが取り付けられる取付筒部と、を有することを特徴とする揮散容器。
【０００８】
２．前記開閉体は、前記雌ねじ部を内周面に有する螺筒部を垂下させると共に前記取付筒部を起立させる天壁部を有し、
前記天壁部には、前記開閉体の後退状態にて、前記収納段部の内周面に当接するシール筒部が垂設されており、
前記天壁部の底面には、前記シール筒部の内周面に連結する補強リブが設けられている、前記１の揮散容器。
【０００９】
３．前記開閉体は、前記雌ねじ部を内周面に有する螺筒部を垂下させると共に前記取付筒部を起立させる天壁部を有し、
前記天壁部には、前記開閉体の後退状態にて、前記収納段部の内周面を形成する環状周壁の外周面に当接するシール筒部が垂設されており、
前記取付筒部の下側部分は、下方に向かってテーパ状に縮径しており、
前記取付筒部の下側部分の外周面には、前記天壁部の上面に連結する補強リブが設けられている、前記１の揮散容器。
【００１０】
４．前記装着体は、前記収納段部の内周縁から立ち上がる周方向に間隔を空けて配置された複数の連結柱と、該複数の連結柱によって前記収納段部の内周縁に連結するリング体と、を有し、
前記吸上芯は、円筒状を成すと共に、前記複数の連結柱によって挟持され、
前記開閉体は、前記雌ねじ部を内周面に有する螺筒部を垂下させると共に前記取付筒部を起立させる天壁部を有し、
前記開閉体の後退状態にて、前記天壁部の底面は、前記装着体のリング体の上面に当接する、前記１の揮散容器。
【発明の効果】
【００１１】
本発明によれば、流通時や不使用時には、開閉体を下方への後退状態にし、揮散体と開閉体に設けられた透孔との間の経路を遮断して、揮散体から揮散した薬剤の外部への放出を防止できる一方、使用時には、装着体に対して開閉体を回転させるというワンタッチ操作で、装着体の雄ねじ部に螺着した雌ねじ部を介して開閉体を上方に前進させ、前記経路を開放させて、揮散した薬剤を外部へ放出させることができる。また、比較的多量の薬剤を短時間で外部に与えたい場合等には、開閉体の取付筒部に取り付けられた噴霧ポンプの頭部を押し下げて、噴霧ポンプから薬剤を噴霧することもできる。
【００１２】
したがって、本発明によれば、揮散体及び噴霧ポンプの双方を有するツーウェイ式の揮散容器において、流通時や不使用時には揮散を防止できる一方、使用時にはワンタッチ操作で揮散可能とすることができる揮散容器を提供することができる。
【図面の簡単な説明】
【００１３】
【図１】本発明の一実施形態に係る揮散容器を示す一部断面側面図であり、開閉体を下方へ後退させて揮散を防止した状態を示す。
【図２】図１の揮散容器を示す一部断面側面図であり、開閉体を上方へ前進させて揮散可能とした状態を示す。
【図３】本発明の一実施形態に係る揮散容器の変形例を示す一部断面側面図であり、開閉体を下方へ後退させて揮散を防止した状態を示す。
【図４】図３の揮散容器を示す一部断面側面図であり、開閉体を上方へ前進させて揮散可能とした状態を示す。
【図５】本発明の他の実施形態に係る揮散容器を示す一部断面側面図であり、開閉体を下方へ後退させて揮散を防止した状態を示す。
【図６】図５の装着体及び吸上芯のＡ−Ａ断面図である。
【図７】図５の揮散容器を示す一部断面側面図であり、開閉体を上方へ前進させて揮散可能とした状態を示す。
【発明を実施するための形態】
【００１４】
以下、図１及び図２を参照して、本発明の一実施形態に係る揮散容器について詳細に例示説明する。
なお、本明細書において、上下方向とは、開閉体６０の雌ねじ部４１ａの軸線Ｏに沿う方向を意味し、上方とは、開閉体６０から見て噴霧ポンプ７０の頭部７１が位置する側に向かう方向（すなわち、図１における上方）、下方とは、開閉体６０から見て容器体１０の底部１４が位置する側に向かう方向（すなわち、図１における下方）を意味するものとする。
【００１５】
図１に示すように、本実施形態に係る揮散容器１は、容器体１０と、吸上芯２０と、吸上芯取付体３０と、装着体４０と、揮散体５０と、開閉体６０と、噴霧ポンプ７０と、を備える。なお、本例では、揮散容器１は、流通時乃至不使用時に噴霧ポンプ７０の頭部７１を覆い、該頭部７１の押し下げを防止するキャップ７２を備えている。
【００１６】
容器体１０は、軸線Ｏを中心とする円筒状の口部１１を有するボトル状を成しており、口部１１から拡径する肩部１２、肩部１２に連なり、やはり軸線Ｏを中心とする円筒状の胴部１３、及び胴部１３の下端を閉塞する底部１４を有している。容器体１０の内部には、芳香剤、消臭剤、防虫剤、殺虫剤等の液状の薬剤（図示省略）が収納されている。
【００１７】
また、容器体１０の内部には、容器体１０内の薬剤を吸い上げて揮散体５０に到達させる吸上芯２０が配置されている。吸上芯２０は、軸線Ｏを中心とする円筒状を成しており、吸上芯取付体３０によって、容器体１０の口部１１に取り付けられている。
【００１８】
吸上芯取付体３０は、容器体１０の口部１１の上端に当接するフランジ部３１と、フランジ部３１の内周縁から垂下する筒壁部３２と、筒壁部３２の下端から縮径部を介して垂下すると共に、吸上芯２０に係合して吸上芯２０を保持する保持筒部３３とを有する。
【００１９】
容器体１０の口部１１の外周面には、軸線Ｏを中心とする雄ねじ１１ａが形成されている。該雄ねじ１１ａには、装着体４０の装着筒部４１の内周面に形成された雌ねじ４１ａが螺着することで、装着体４０が容器体１０に取り付けられている。なお、雄ねじ１１ａ及び雌ねじ４１ａに代えて、互いに乗越えによって係止する凹凸部を設けることで、装着体４０を容器体１０に取り付けるようにしてもよい。
【００２０】
装着筒部４１の上端には、内向きフランジ部４２が連設されており、内向きフランジ部４２の径方向内側端には環状のシール壁部４３が垂設されている。装着体４０が容器体１０に取り付けられた状態で、内向きフランジ部４２が、吸上芯取付体３０のフランジ部３１の上面に当接し、シール壁部４３が、吸上芯取付体３０の筒壁部３２の内周面に当接することにより、吸上芯取付体３０の筒壁部３２の内外周面及びフランジ部３１の上下面に沿う液漏れを防止している。
【００２１】
内向きフランジ部４２の径方向外側端には、内周壁部４４が立設されている。本例では、該内周壁部４４と内向きフランジ部４２とによって、揮散体５０が収納される環状の収納段部Ｓが形成されている。なお、揮散体５０の収納状態では、揮散体５０の底面と、吸上芯２０の上端面とは、互いに接触している。揮散体５０は、例えば、フェルト、不織布又は濾紙等の吸水性素材で構成することができ、中央に貫通孔５１を有する円板状を成している。
【００２２】
装着筒部４１の内周壁部４４は、本例では、揮散体５０の上面よりも上方まで延びている。内周壁部４４の上端には、周方向に間隔を空けて配置された複数の貫通孔４５を有する外向きフランジ部が連設されている。該外向きフランジ部の径方向外側端には、螺筒部４６が垂設されている。螺筒部４６の外周面には、軸線Ｏを中心とする雄ねじ部４６ａが形成されている。螺筒部４６の下端には、外向きフランジ部を介して中間壁部４７が垂設されている。
【００２３】
中間壁部４７の下端には、外向きフランジ部を介して外周壁部４８が垂設されている。外周壁部４８の内周面下部には、容器体１０の胴部１３の上端縁に周設された環状凹部１３ａに上方から乗越え係止する係止突起４８ａが形成されている。また、外周壁部４８の上部には、複数の貫通孔４５に通じる複数の開口４８ｂが形成されている。
【００２４】
螺筒部４６の雄ねじ部４６ａには、開閉体６０の天壁部６１から垂下する螺筒部６２の内周面に形成された雌ねじ部６２ａが螺着している。開閉体６０は、この装着体４０の雄ねじ部４６ａに螺着する雌ねじ部６２ａを介して、上下に進退可能に設けられている。すなわち、開閉体６０は、装着体４０に対して開閉体６０を回転させることで、図２に示す上方への前進状態と、図１に示した下方への後退状態とを切り替えることができるようになっている。
【００２５】
天壁部６１の径方向外側端には、環状の外壁部６３が垂設されている。外壁部６３の下端は、開閉体６０の後退状態において、装着体４０の外周壁部４８の上端に当接している。外壁部６３の内周面には、開閉体６０の前進状態にて、装着体４０の中間壁部４７の外周面に形成されたリブ状の突起４７ａに当接し、開閉体６０のそれ以上の前進を妨げる回り止め用のリブ状の突起６３ａが形成されている。なお、リブ状の突起６３ａは、開閉体６０を、所定の大きさ以上の力で回転させることで、該突起６３ａと、中間壁部４７のリブ状の突起４７ａとを弾性変形させて互いに乗越えさせ、開閉体６０を装着体４０から取り外せるようになっている。
【００２６】
また、天壁部６１には、螺筒部６２の径方向内側に、開閉体６０の後退状態にて、収納段部Ｓの内周面に当接するシール筒部６４が垂設されている。また、天壁部６１の底面には、シール筒部６４の内周面に連結する補強リブ６５が設けられている。天壁部６１の、螺筒部６２とシール筒部６４との間の部分には、周方向に間隔を空けて配置された複数の透孔６６が形成されている。複数の透孔６６は、図２に示した開閉体６０の上方への前進状態では、揮散体５０との間の経路が開放されて該揮散体５０から揮散した薬剤を外部へ放出する一方、図１に示した開閉体６０の下方への後退状態では、揮散体５０との間の経路がシール筒部６４によって遮断されるようになっている。
【００２７】
天壁部６１の径方向内側端には、噴霧ポンプ７０が取り付けられる取付筒部６７が立設されている。取付筒部６７の外周面には、軸線Ｏを中心とする雄ねじ６７ａが形成されている。雄ねじ６７ａには、噴霧ポンプ７０の取付筒体７３に形成された雌ねじ７３ａが螺着されている。なお、雄ねじ６７ａ及び雌ねじ７３ａに代えて、互いに乗越えによって係止する凹凸部を設けることで、噴霧ポンプ７０を取付筒部６７に取り付けるようにしてもよい。
【００２８】
噴霧ポンプ７０は、それ自体公知の構成のものであり、取付筒部６７に取付筒体７３を取り付けることによって、シリンダ７４が取付筒部６７に固定され、頭部７１の押し下げにて、吸上パイプ７５を通じて容器体１０内の薬剤を吸い上げ、頭部７１の噴霧口７１ａから薬剤を噴霧できるようになっている。
【００２９】
かかる構成によれば、揮散容器１の流通時や不使用時には、開閉体６０を、図１に示したように、下方への後退状態とすることで、揮散体５０と開閉体６０の透孔６６との間の経路をシール筒部６４によって遮断し、揮散した薬剤の外部への放出を防止することができる。
【００３０】
また、使用時には、図２に示したように、装着体４０に対して開閉体６０を回転させるというワンタッチ操作にて、装着体４０の雄ねじ部４６ａに螺着した雌ねじ部６２ａを介して開閉体６０を上方に前進させ、前記経路を開放させて、揮散した薬剤を外部へ放出させることができる。その際、本例では、装着体４０の外周壁部４８に形成された複数の開口４８ｂからも、揮散した薬剤が放出されるため、薬剤をより広範囲に分散させることができる。
【００３１】
また、比較的多量の薬剤を短時間で外部に与えたい場合等には、開閉体６０の前進状態及び後退状態のいずれにおいても、開閉体６０の取付筒部６７に取り付けられた噴霧ポンプ７０からキャップ７２を取り外し、噴霧ポンプ７０の頭部７１を押し下げて、噴霧ポンプ７０から薬剤を噴霧することができる。その際、本例では、天壁部６１の底面に、シール筒部６４の内周面に連結する補強リブ６５を設けているため、噴霧ポンプ７０の頭部７１の押し下げ力に対する開閉体６０の剛性を確保することができ、その結果、噴霧ポンプ７０のスムーズな作動を可能とすることができる。
【００３２】
また、本例の揮散容器１は、開閉体６０、装着体４０及び容器体１０によって構成される部分が概略円柱状を成しているため掴み易く、開閉体６０から噴霧ポンプ７０が立ち上がっていることから、噴霧ポンプ７０の頭部７１の押し下げ操作も容易である。したがって、例えば、室内上方への薬剤の噴霧も容易にできる。
【００３３】
また、開閉体６０から噴霧ポンプ７０が立ち上がっている外観により、ツーウェイ式の揮散容器であることをユーザーに認識させ易い。また、噴霧ポンプ７０自体は既存の構成のものを用いているため、既存の部品点数の増加を抑制し、コストの上昇を抑制することができる。
【００３４】
次に、図１及び図２を用いて前述した揮散容器１の変形例について、図３及び図４を用いて詳細に例示説明する。
本変形例に係る揮散容器１’は、図１及び図２を用いて前述した例の場合とは、開閉体６０のシール筒部６４及び取付筒部６７の形態が異なっている。
【００３５】
すなわち、本変形例に係る揮散容器１’のシール筒部６４’は、図３及び図４に示すように、開閉体６０の後退状態にて、装着体４０の内向きフランジ部４２に立設されると共に収納段部Ｓの内周面を形成する環状周壁４９の外周面に当接するように、開閉体６０の天壁部６１に垂設されている。
【００３６】
また、本変形例では、前述した例での補強リブ６５に代え、取付筒部６７の下側部分６７ｂに補強リブ６７ｃを設けることで、開閉体６０の上下方向の剛性が補強されている。すなわち、取付筒部６７の下側部分６７ｂは、下方に向かってテーパ状に縮径しており、取付筒部６７の下側部分６７ｂの外周面には、天壁部６１の上面に連結する補強リブ６７ｃが設けられている。
【００３７】
なお、装着体４０の装着筒部４１の上端には、周方向に間隔を空けて配置された複数の貫通孔４５’を有する外向きフランジ部が連設されている。該外向きフランジ部の径方向外側端には、螺筒部４６’の上下方向中間部が連設されている。螺筒部４６’の外周面には、軸線Ｏを中心とする雄ねじ部４６ａ’が形成されている。
【００３８】
その他の構成は、前述した例の場合と同様になっている。
したがって、本変形例に係る揮散容器１’によれば、前述した例の場合と同様の効果を得ることができる。
【００３９】
次に、図５〜図７を参照して、本発明の他の実施形態に係る揮散容器について詳細に例示説明する。
本実施形態に係る揮散容器２は、前述した例の場合では設けていた吸上芯取付体３０を省略し、図５に示すように、吸上芯２０を、装着体８０に直接取り付けるようになっている。以下、詳細に説明する。
【００４０】
本実施形態に係る揮散容器２は、容器体１０’と、吸上芯２０と、装着体８０と、揮散体５０と、開閉体９０と、噴霧ポンプ７０’と、を備える。
容器体１０’は、軸線Ｏを中心とする円筒状の口部１１’を有するボトル状を成しており、口部１１’から拡径する肩部１２’、肩部１２’に連なり、やはり軸線Ｏを中心とする円筒状の胴部１３’、及び胴部１３’の下端を閉塞する底部１４’を有している。胴部１３’の上部には、縮径により形成された段差部１３ｂが形成されている。容器体１０’の内部には、前述した例の場合と同様の薬剤（図示省略）が収納されている。
【００４１】
容器体１０’の口部１１’の外周面には、軸線Ｏを中心とする雄ねじ１１ａ’が形成されている。該雄ねじ１１ａ’には、装着体８０の装着筒部８１の内周面に形成された雌ねじ８１ａが螺着することで、装着体８０が容器体１０’に取り付けられている。また、装着筒部８１の内周面下端には、雌ねじ８１ａの締め終わりに、雄ねじ１１ａ’の下方に形成された係合突起１１ｂと嵌合する、回り止め用の凹部８１ｂが形成されている。なお、係合突起１１ｂと凹部８１ｂとは、凹凸関係を逆転させた構成としてもよい。また、容器体１０’に対する装着体８０の取り付け構造は、雄ねじ１１ａ’及び雌ねじ８１ａを用いる構成に限定されず、これに代えて、互いに乗越えによって係止する凹凸部を設けるようにしてもよい。
【００４２】
装着筒部８１の上端には、フランジ部８２の径方向中間部が連設されており、フランジ部８２の径方向内側端には環状のシール壁部８３が垂設されている。装着体８０が容器体１０’に取り付けられた状態で、フランジ部８２が、容器体１０’の口部１１’の上面に当接し、シール壁部８３が、口部１１’の内周面に当接することにより、口部１１’の内周面及び上面に沿う液漏れを防止している。
【００４３】
フランジ部８２の径方向外側端には、環状の立壁部８４が立設されている。本例では、フランジ部８２の上面と立壁部８４の内周面とで、揮散体５０が収納される環状の収納段部Ｓが形成されている。揮散体５０は、前述した例の場合と同様に、例えば、フェルト、不織布又は濾紙等の吸水性素材で構成することができる。また、揮散体５０は、中央に貫通孔５１を有する円板状を成している。
【００４４】
また、フランジ部８２の径方向内側端には、収納段部Ｓの内周縁から立ち上がる周方向に間隔を空けて配置された複数の連結柱８５が形成されている。具体的には、連結柱８５は、本例では、図６に示すように３本設けられている。これら複数の連結柱８５の上端には、軸線Ｏを中心とするリング体８６が連設されている。
【００４５】
複数の連結柱８５には、前述した例の場合と同様の構成になる吸上芯２０の上部が挟持され、その結果、吸上芯２０の上部外周面の一部と、揮散体５０の貫通孔５１の内周面の一部とが互いに接触し、吸上芯２０によって容器体１０’内から吸い上げられた薬剤が、揮散体５０を浸漬できるようになっている。
【００４６】
また、フランジ部８２の径方向内側端には、螺筒部８７が垂設されている。螺筒部８７の外周面には、軸線Ｏを中心とする雄ねじ部８７ａが形成されている。螺筒部８７の下端には、外向きフランジ部を介して外周壁部８８が垂設されている。外周壁部８８は、容器体１０’の胴部１３’の段差部１３ｂ内に配置されている。
【００４７】
螺筒部８７の雄ねじ部８７ａには、開閉体９０の天壁部９１から垂下する螺筒部９２の内周面に形成された雌ねじ部９２ａが螺着している。開閉体９０は、この装着体８０の雄ねじ部８７ａに螺着する雌ねじ部９２ａを介して、上下に進退可能に設けられている。すなわち、開閉体９０は、前述した例の場合と同様に、装着体８０に対して開閉体９０を回転させることで、図７に示す上方への前進状態と、図５に示した下方への後退状態とを切り替えることができるようになっている。
【００４８】
開閉体９０の螺筒部９２の上部には、周方向に間隔を空けて配置された複数の透孔９３が形成されている。複数の透孔９３は、図７に示した開閉体９０の上方への前進状態では、揮散体５０との間の経路が開放されて該揮散体５０から揮散した薬剤を外部へ放出する一方、図５に示した開閉体９０の下方への後退状態では、揮散体５０との間の経路が立壁部８４によって遮断されるようになっている。また、開閉体９０の下方への後退状態では、開閉体９０の天壁部９１の底面は、装着体８０のリング体８６の上面に当接するようになっている。
【００４９】
天壁部９１の径方向内側端には、噴霧ポンプ７０’が取り付けられる取付筒部９４が立設されている。取付筒部９４の外周面には、軸線Ｏを中心とする雄ねじ９４ａが形成されている。雄ねじ９４ａには、噴霧ポンプ７０’の取付筒体７３’に形成された雌ねじ７３ａ’が螺着されている。なお、雄ねじ９４ａ及び雌ねじ７３ａ’に代えて、互いに乗越えによって係止する凹凸部を設けることで、噴霧ポンプ７０’を取付筒部９４に取り付けるようにしてもよい。
【００５０】
また、本例では、取付筒体７３’と、噴霧ポンプ７０’の頭部７１’との間には、頭部７１’の押し下げを防止するためのストッパー構造として、円柱状の頭部７１’の外周縁から垂下する円弧状突起７６と、取付筒体７３’に形成され、該円弧状突起７６の下端に当接する縦リブ状の突起７７とを設け、頭部７１’を取付筒体７３’に対して回転させることで、図５に示したような頭部７１’の押し下げ防止状態と、図７に示したような押し下げ可能状態とを切り替えられるようにしている。
【００５１】
かかる構成によれば、前述した例の場合と同様の効果を得ることができる。また、本例では、開閉体９０の後退状態にて、図５に示したように、天壁部９１の底面を装着体８０のリング体８６の上面に当接させて支持することができる。
【００５２】
したがって、開閉体９０の後退状態にて、噴霧ポンプ７０’の頭部７１’を取付筒体７３’に対して回転させて、頭部７１’を押し下げ可能状態とし、頭部７１’を押し下げる際に、噴霧ポンプ７０’の頭部７１’の押し下げ力に対する開閉体９０の変形を抑制することができ、その結果、噴霧ポンプ７０’のスムーズな作動を可能とすることができる。また、本例では、複数の連結柱８５によって、吸上芯２０を直接、装着体８０に保持させることができるため、部品点数を低減することもできる。
【００５３】
上述したところは、本発明の一実施形態を示したにすぎず、特許請求の範囲において、種々の変更を加えることができる。例えば、吸上芯と揮散体とは別体に構成されたものとして説明したが、必ずしもそのような構成に限定する必要はなく、吸上芯及び揮散体を一体品として設けてもよい。その場合には、例えば、図１〜図４を用いて説明した例においては、吸上芯取付体３０を省略すると共に、該省略に対応して装着体４０のシール壁部４３等の形状を変更することができ、図５〜図７を用いて説明した例においては、複数の連結柱８５及びリング体８６も省略することができる。
【符号の説明】
【００５４】
１，１’  揮散容器
１０，１０’  容器体
１１，１１’  口部
１１ａ，１１ａ’  雄ねじ
１１ｂ  係合突起
１２，１２’  肩部
１３，１３’  胴部
１３ａ  環状凹部
１３ｂ  段差部
１４，１４’  底部
２０  吸上芯
３０  吸上芯取付体
３１  フランジ部
３２  筒壁部
３３  保持筒部
４０  装着体
４１  装着筒部
４１ａ  雌ねじ
４２  内向きフランジ部
４３  シール壁部
４４  内周壁部
４５，４５’  貫通孔
４６，４６’  螺筒部
４６ａ，４６ａ’  雄ねじ部
４７  中間壁部
４７ａ  突起
４８  外周壁部
４８ａ  係止突起
４８ｂ  開口
４９  環状周壁
５０  揮散体
５１  貫通孔
６０  開閉体
６１  天壁部
６２  螺筒部
６２ａ  雌ねじ部
６３  外壁部
６３ａ  突起
６４，６４’  シール筒部
６５  補強リブ
６６  透孔
６７  取付筒部
６７ａ  雄ねじ
６７ｂ  取付筒部の下側部分
６７ｃ  補強リブ
７０，７０’  噴霧ポンプ
７１，７１’  頭部
７１ａ  噴霧口
７２  キャップ
７３，７３’  取付筒体
７３ａ，７３ａ’  雌ねじ
７４  シリンダ
７５  吸上パイプ
７６  円弧状突起
７７  突起
８０  装着体
８１  装着筒部
８１ａ  雌ねじ
８１ｂ  凹部
８２  フランジ部
８３  シール壁部
８４  立壁部
８５  連結柱
８６  リング体
８７  螺筒部
８７ａ  雄ねじ部
８８  外周壁部
９０  開閉体
９１  天壁部
９２  螺筒部
９２ａ  雌ねじ部
９３  透孔
９４  取付筒部
９４ａ  雄ねじ
Ｏ  軸線
Ｓ  収納段部
【図１】
2015160666.tif 000003
【図２】
2015160666.tif 000004
【図３】
2015160666.tif 000005
【図４】
2015160666.tif 000006
【図５】
2015160666.tif 000007
【図６】
2015160666.tif 000008
【図７】
2015160666.tif 000009